(57)【特許請求の範囲】
【請求項１】
選択的に開閉可能なダクト（２）のあるバルブハウジング（１）、バルブハウジングに連結された弁胴（４）、及び弁棒（３）を備えたバルブであって、この弁棒は、弁棒がバルブハウジングのシール面（５）にきつく押し付けられることによりダクトを閉じる第１の位置から、弁棒がシール面からある距離にあることにより弁棒がダクトを開いた状態に保持する第２の位置に、弁胴（４）に関して移動可能であり、このバルブは、弁胴（４）を囲むフランジ部品（１５）であって、かつ弁棒を交互に前記２位置に支持するために、第１の位置と第２の位置との間を弁胴に関して移動可能であるように配列されたフランジ部品を備え、これにより少なくも１個の変位部材（１１−１３）は、フランジ部品が第１の位置から第２の位置に動かされたとき、変位部材が弁胴の開口（８−１０）の壁（６、７）上及び内壁（１４）の第１の部分においてフランジ部品（１５）の内壁（１４）上に当たる第１の固定用位置から、変位部材（１１−１３）が前記固定用位置から解放される第２の解放位置に移動されるように配列され、これにより変位部材（１１−１３）は、フランジ部品が第１の位置にあるときは、弁棒を第１の位置から第２の位置に移動しないように保持するために、弁棒（３）の形状部品（１７）の第１の当たり部分（１６）に押し付けられ支持されるように配列され、フランジ部品に力が加えられたときは、変位部材を第１の当たり部分から解放して変位部材を第２の位置に動かすように、第１の位置から第２の位置に弁胴（４）に関して案内するようにフランジ部品が配列されたバルブであって、弁棒（３）は、変位部材（１１−１３）が第１の位置から第２の位置に動かされるようにフランジ部品（１５）が動かされたとき、ダクト（２）内で作動している圧力により第１の位置から第２の位置に動かされるように配列されること、そして弁胴（４）は、圧力室を加圧し、これによりフランジ部品に前記力を加えてこれを動かしてその第２の部分が変位部材（１１−１３）を支持するように、入口（２１）から、弁胴とフランジ部品（１５）とにより定められた圧力室（２２）に導く通路（２０）を備えることを特徴とするバルブ。
【請求項２】
フランジ部品（１５）は圧力室（２２）の壁面の部分である圧力面積（２３）を備え、弁棒（３）が第１の位置（閉位置）にあるとき、圧力面積に影響を及ぼす圧力室内で作動している圧力がこれによりフランジ部品に前記力を加えてこれを動かし、このため弁棒が第２の位置に案内されるように配列されることを特徴とする請求項１によるバルブ。
【請求項３】
フランジ部品（１５）と弁胴（４）とは、弁棒（３）が前記第１の位置にあるとき向かい合う接触面（２４ａ及び２４ｂ）を有し、これらの面は弁棒が第２の位置に動かされたとき互いにある距離にあり、これらの面は、弁棒が第２の位置にあるときそれらの部分上に圧力室を定めるような状態で圧力室（２２）に連結されることを特徴とする請求項２によるバルブ。
【請求項４】
変位部材（１１−１３）は、弁棒（３）を第２に位置に保持するように、内壁の第２に部分（１８）において、弁胴（４）の開口（８−１０）の内壁及びフランジ部分（１５）の壁（１４）上に押し付けられ支持されることを特徴とする請求項１によるバルブ。
【請求項５】
フランジ部品（１５）の内壁（１４）の第２の部分が、フランジ部品の内壁に作られた凹所（１８）により形成されることを特徴とする請求項４によるバルブ。
【請求項６】
変位部材（１１−１３）は、弁棒の第１の位置から離れる弁棒（３）の更なる運動を減速させるために、変位部材の解放位置において、形状部品（１７）の第２の当たり部分（１９）に押し付けられ支持されるように配列されることを特徴とする請求項１によるバルブ。
【請求項７】
フランジ部品（１５）と弁胴（４）との間にバネ（２５）が配置され、このバネは、内壁の第１の部分が変位部材（１１−１３）を押し付ける位置にフランジ部品を動かすためにフランジ部品上に力を加えるように配列されることを特徴とする請求項１によるバルブ。
【請求項８】
前記変位部材（１１）と同様に変位する２個の追加の変位要素（１２及び１３）があり、この場合、これら追加の変位部材について、対応した形状部品（１７）の第１の当たり部分（１６）、弁胴（４）の壁（７）、及びフランジ部品（１５）の第２の部分（１８）があることを特徴とする請求項４によるバルブ。
【請求項９】
変位部材（１１）及び２個の追加の変位部材（１２及び１３）が共通平面上にあり、この面は弁棒（３）に直角であり、そしてこれら変位部材が互いに同じ距離に配列されることを特徴とする請求項８によるバルブ。
【請求項１０】
変位部材がボール（１１−１３）であることを特徴とする先行請求項のいずれかによるバルブ。
【発明の詳細な説明】
本発明は、選択的に開閉可能なダクトを有する弁ハウジング、弁胴、及び弁棒がダクトを閉じる第１の位置から弁棒がダクトの開く第２の位置に変位し得る弁棒を備えたバルブに関する。より特別には、本発明は請求項１の前文によるバルブに関係する。
公知のバルブに伴う問題は、これを閉じた状態に保持するために必要な力が大きいこと、及びバルブは、通常、バルブの異なった面積における相対圧力により閉じられて保持されることである。これにより、公知のバルブは、より低圧でバルブを開くために、より大きい面積が使用されるように機能する。これらのバルブを異なった作動位置に動かすには、大きい力が必要である。これらのバルブは漏洩による問題を有することが多く、また構造が複雑である。
レバーでバルブを閉じることも知られているが、これに伴う大きい力のため、調整時に破損し易く、そのため、調整は一般に１回しかできない。
英国特許１４０３４６０号は、弁棒を交互に開位置及び閉位置に固定するためのボールを有するバルブを明らかにする。このバルブは、手動操作のキーにより開位置から閉位置に、及びその逆に操作される。バルブを開くときは、バルブに作用している流体圧力は、弁棒を開位置に動かすために利用されない。このため、バルブ内に高い液体圧力がある場合は、バルブを容易に操作することはできない。
本発明は、これらの問題に対する解答が得られるバルブに関する。このため、請求項１に与えられた特徴が本発明を特徴付ける。このバルブの好ましい実施例が請求項２−１０に説明される。
構造は、弁ダクト内で作動している圧力（作動圧力）が弁棒をバルブ開位置に動かすものであるため、バルブの開口圧力はフランジ部分を変位させ、これにより構成要素をバルブ内のその経路から動かして自由にさせるに要する力（圧力）によってのみ決められる。
バルブは、これを空気圧又は水圧で開く機械式固定用機構の手段により操作される。固定用機構は少なくも１個の変位部材の手段により開閉され、この手段は、固定用機構が開かれたときに、固定用部材が固定用機構から転がり出ることができるように経路により案内され、これにより弁ダクト内の作動圧力により弁棒が変位されてバルブが開かれる。
本発明のバルブは確実に機能し、その寸法は小さく、かつバルブ部品はバルブを操作するに要する圧力により変形しない。このバルブは、弁棒を閉位置から開位置に動かし得るように、バルブ閉位置において変位部材の外向きの変位を妨げているフランジ部分を動かすことによるだけで、非常に小さい力で容易に開くことができる。例えば、バルブにおける作動圧力が２００バールであるとき、このバルブは約２バールの開口用圧力を要するだけである。市販のバルブは、作動圧力１５０バールにおいて、開口用に通常は１５バールを必要とする。
以下、本発明の実施例が付属図面の手段により説明されるであろう。図面において、
図１は閉位置にあるバルブを示し、
図２は横断線ＩＩ−ＩＩに沿って見られる図１によるバルブを示し、
図３は開位置にあるバルブを示し、そして
図４は横断線ＩＶ−ＩＶに沿って見られる図３によるバルブを示す。
図１のバルブは、ダクト２を有するバルブハウジング１を備え、このダクトは弁棒３の手段により交互に開閉される。弁棒３は、バルブハウジング１にネジ止めされた弁胴４内で変位可能である。弁棒３が第１の位置にあるときは、これがバルブハウジング１内の封鎖面５に固く押し付けられることによりダクト２を閉じるであろう。
弁棒３は、弁胴４に作られた３個の開口８−１０の壁６、７、及びフランジ部品１５の内壁１４の第１の部分により、３個のボール１１−１３に関して図１に示された位置に保持される。フランジ部品は、弁棒３のまわりに配置された形状部品１７の下向き広がりの第１の当たり部分１６が上向きに動くことを妨げている停止手段を備える。形状部品１７は、ネジ手段によって弁棒３に取り付けられる。
弁胴４には、入口２１から圧力室２２に至る通路２０がある。入口２１に、例えば３バールの低圧を加えることにより、フランジ部品は、図１に示された位置から図３の位置に下向きに移動させることができる。これは、前記圧力が圧力面積２３上に圧力を加え、この圧力は、フランジ部品１５が弁胴４に関して滑り得るように、これに下向きの力を与える。フランジ１５が下方に動き始めた後、前記低圧のための圧力面として機能する大きい面積２４Ａが暴露される。この面積は比較的大きいので、フランジ部品１５を図３に示される位置に下降させる大きい力を出す。
フランジ部品１５がバルブハウジング１に対して下向きに通過した後でボール１１−１３を受け入れるように、フランジ部品１５の内壁１４に凹所１８が形成される。フランジ部品１５が下向きに動かされると、ボール１１−１３は、形状部品１７に沿って転がり、形状部品の第２の当たり部分１９上に当たり支持される。開位置にあるバルブを示す図３を参照。
フランジ部品１５を押す力を出すように配列されたバネ２５が、フランジ部品の図１の位置からの下降を止める。
機能説明
図１において、バルブは、バルブハウジング１を下向きに押している弁棒３により封鎖される。弁棒３は、形状部品１７のボール経路、より特別にはその当たり部分１６及び弁胴４とフランジ１５とに押し付けられるボール１１−１３により閉鎖状態に保持される。
従って、バルブは、図１のような上方位置にあるフランジ部品１５により閉鎖状態に保持される。バネ２５は、フランジ部品１５が誤って下向きに動かされないようにする。
バルブを図３に示された状態に開きたいときは、入口２１への圧力を大きくする。これにより室２２内の圧力及び面積２３上に作用している圧力がフランジ１５を下方に押し、ボール１１−１３が解放され、更に弁棒３がダクト２内の圧力により持ち上げられ、ボールはボール経路に従い、そしてバルブはダクト２において開かれる。
バルブ内の力は、ボール経路及び弁胴４を押しているボール１１−１３により引き受けられる。フランジ部品１５の内壁１４は、ボール１１−１３が弁胴４から離れて半径方向外向きに移動しないようにこれを保持する。
本発明は、以上、１実施例の手段だけで説明された。そこで、本発明の詳細は、これを請求項の範囲内において多くの方法で変更し得ることが指摘される。即ち、例えば、フランジ部品を、説明されたものとは逆の方向、即ち、バルブを開くために上向きに動かすように配置することができる。この場合、フランジ部品の内壁の凹所１８は、バルブの閉位置においてボールの下方に置かれるべきであり、また圧力室２２内の圧力は、入口２１への圧力でフランジ部品を上向きに動かすように配置しなければならない。バルブが開位置にあるときの弁棒の上昇運動が第２の当たり部分１９により止められる代わりに、弁棒の運動を、何か他の種類の固定用装置、例えば弁胴内のショルダーに当たって止まるショルダーを備えた弁棒により停止させることができる。ボールの代わりに、ロールのような別形式の変位部材を使用することができる。
【図１】
0004063329.tif 000002
【図２】
0004063329.tif 000003
【図３】
0004063329.tif 000004
【図４】
0004063329.tif 000005